(57)【特許請求の範囲】
【請求項１】
外部から入力される１フレーム単位で伝送された映像信号とインターリーブされた音声信号を含んだディジタルデータを受信し、入力された信号に含まれる再生速度及び再生方向情報、フィールド出力順序を示す情報を出力するデータ受信手段と、
前記データ受信手段から出力されたフレームの切り替わりを示す情報から入力信号の映像信号のフレームの切り替わりを検出し、検出結果をフレームエンドパルスとして出力するフレームエンド検出手段と、
前記フレームエンド検出手段からのフレームエンドパルスと前記再生速度及び再生方向情報，前記フィールド出力順序示す情報を用いて前記データ受信手段から入力された音声信号のデインターリーブ処理及びスロー再生処理を行う音声信号再生手段と、
前記フィールドの出力順序を示す信号を用いて前記データ受信手段から入力された映像信号の再生処理を行う映像信号再生手段とを具備することを特徴とするディジタル音声信号伝送装置。
【発明の詳細な説明】
【０００１】
【発明の属する技術分野】
本発明は、ディジタルインターフェースにおいて高能率符号化された映像信号と共にインターリーブされたディジタル音声信号の伝送装置に関する。
【０００２】
【従来の技術】
従来、高能率符号化された映像信号とインターリーブされたディジタル音声信号の再生装置として特開平３−１４１０７９号公報に記載されたものが知られている。
【０００３】
図３に従来の再生装置の構造を示しており、１０１はシリンダ部、１０２は再生信号処理回路、１０３はメモリ回路、１０４は補間フィルタ、１０５はテープ駆動回路、１０６はフレーム更新判定回路、１０７はメモリ制御回路、３はシステムコントロール部である。以下にこれらの動作について説明する。
【０００４】
システムコントロール部３は操作キー入力ｊを受けて、その動作指示に従ってテープを駆動するテープ駆動回路１０５にテープ走行速度情報ｇを出力し、テープ駆動回路１０５はテープ駆動出力ｉによりテープを走行させる。シリンダ部１０１で再生されたシリンダ部出力ａは再生信号処理回路１０２において誤り訂正、並び替え処理等を行われた後、ビデオ信号ｋと音声信号ｂに分離されて出力される。その際再生信号処理回路１０２はシリンダ部出力ａからトラック番号を読み出しトラック番号ｅをフレーム更新判定回路１０６へ出力し、フレーム更新判定回路１０６は、フレームの変わり目の検出を行う。フレーム更新判定回路１０６はフレームの変わり目の検出結果からフレームに同期したフレームエンドパルスｆを作成し、メモリ制御回路１０７に出力する。メモリ制御回路１０７はメモリ制御信号ｈを出力することによりメモリ回路１０３を制御する。メモリ回路１０３ではメモリ制御信号ｈにより音声信号ｂの書き込みを制御する。補間フィルタ１０４ではメモリ回路１０３から読み出された音声信号ｃをテープ走行速度情報ｇに応じて補間する。再生信号処理回路１０２から出力されたビデオ信号ｋと補間フィルタ１０４から出力された音声信号ｄは再生装置の出力として出力される。
【０００５】
また、従来のディジタルインターフェースにおいてインターリーブされたディジタル音声信号を伝送する手段として特開平７−７３５８６号公報に記載されたものが知られている。高能率符号化された映像信号のディジタルインターフェースの規格としてＳＭＰＴＥ３０５Ｍがあるがこれに準拠した映像信号を伝送するディジタルインターフェースについて説明する。
【０００６】
図４に従来のディジタル音声信号伝送方法の構造を持つシリアルデータトランスポートインターフェースの構成を示し、再生部及び再生信号処理回路１においてシステムコントロール部３の指示する再生速度及び再生方向情報に従い記録媒体から再生、特殊再生処理が行われる。映像信号切り替えスイッチ２では再生部及び再生信号処理回路１からの出力信号とシリアルデータ受信装置２０１の出力信号の選択を行い、選択された信号が速度及び方向情報付け替え装置４，音声信号再生装置８，映像信号再生装置９に出力される。再生部及び再生信号処理回路１で再生された信号とシリアルデータ受信装置２０１で受信された信号には高能率符号化された映像信号とインターリーブされた音声信号，映像や音声信号の再生に必要なシステムデータとしてＶＡＵＸやＡＡＵＸが含まれる。
【０００７】
ここでは、ＳＭＰＴＥ３１４Ｍで規定されているＡＵＸを用いて説明を行う。
【０００８】
図７はＡＡＵＸのソースコントロールパック，図８はＶＡＵＸのソースコントロールパックのマッピング図である。ＡＡＵＸのソースコントロールパックには映像信号の再生速度を示す情報としてＳＰＥＥＤ（７ビット）、再生方向を示す情報としてＤＲＦ（１ビット）が存在する。速度情報は０から１倍速までの速度を１／１２０刻み（ＮＴＳＣ時において、ＰＡＬは１／１００刻み）で表現する。またＶＡＵＸのソースコントロールパックには映像信号のフレームの切り替わりを示すＦＣ，再生するフィールドを制御するＦＦ，ＦＳが存在する。ＦＣは送信側において今から出力する映像信号が１フレーム前に出力された信号と同じであれば'０'、異なっていれば'１'を設定し、出力される。ＦＦ，ＦＳはモニタ出力時にフィールド単位で映像信号を制御する情報で、再生側はこれらの情報を映像及び音声信号と共に伝送する。通常再生時のモニタ出力の映像，音声信号及びシリアルデータ出力の映像，音声信号とＦＣ，ＦＦ，ＦＳ，フレームエンドパルスの関係を図５に示す。
【０００９】
速度及び方向情報付け替え装置４では入力される信号のＡＡＵＸ内のソースコントロールパックにある再生速度及び再生方向情報を再生部及び再生信号処理回路１からの再生速度及び再生方向情報を元に音声の特殊再生可能な範囲なら再生部及び再生信号処理回路１からの情報に付け替え、音声再生処理の不可能な速度範囲の場合は速度情報無効に付け替え、シリアルデータ送信装置７に出力する。シリアルデータ受信装置２０１ではパケット化された入力信号のデパケット化を行い、映像信号切り替えスイッチ２に映像及び音声信号を出力する。シリアルデータ送信装置７では映像信号切り替えスイッチ２で選択された信号のパケット化を行いＳＭＰＴＥ３０５Ｍに準拠した形のシリアルデータを出力する。
【００１０】
また、音声信号のモニタ手段である音声信号再生装置８では、再生部及び再生信号処理回路１からの再生速度及び再生方向情報，フレームエンドパルスを用い、入力された音声信号のデインターリーブ処理を行い、音声出力を行う。映像信号のモニタ手段である映像信号再生装置９では、再生部及び再生信号処理回路１からの再生速度及び再生方向情報，フィールド出力順序を示す情報を用い、入力された映像信号の高能率復号化処理を行い映像出力を行う。
【００１１】
【発明が解決しようとする課題】
現在、ディジタル音声信号伝送装置においては、送信側の伝送装置で特殊再生された音声信号を受信し、受信した信号から特殊再生された音声をモニタすることが要求されている。
【００１２】
しかしながら、上記従来例の手段では入力されたシリアルデータの再生処理が再生部及び再生信号処理回路１内のフレーム更新判定回路１０６からのフレームエンドパルスｆで行われる為、特殊再生時のシリアルデータ入力時に正常に特殊再生処理を行った音声出力が得られないという問題が生じている。特殊再生のシリアルデータ入力時の音声が正常にモニタできない状態について図６を用いて説明する。図６に０．５倍速特殊再生のシリアルデータを入力時のモニタ出力の図を示している。ディジタルインターフェースで受信する信号は１フレーム分の圧縮された映像信号と１フレーム分のインターリーブされた音声信号である。再生信号の伝送には前記映像と音声の１フレーム分の信号に加えその映像や音声の再生状態を示す信号も伝送される。しかし、従来の構成では再生状態を示す情報から特殊再生に必要な信号の復元や音声信号再生装置８の処理とのタイミング調整を行う構成にはなっておらず、再生部及び再生信号処理回路１からの再生速度及び再生方向情報，フレームエンドパルスにより再生処理をされる。特殊再生信号受信時においてフレーム更新判定回路１０６からのフレームエンドパルスが通常再生時と同じ場合ならば、０．５倍速再生時の特殊再生信号受信時には本来２フレームにわたってスロー再生処理された音声が出力されるべきであるが、現在の構成では通常再生時の処理をされた音声が２フレーム繰り返して出力される。
【００１３】
本発明は、特殊再生された信号を受信し、受信した信号から特殊再生された音声をモニタすることを目的とする。
【００１４】
【課題を解決するための手段】
この課題を解決するために本発明は、外部から入力されたシリアルデータの映像，音声信号の状態を示すシステムデータから速度情報及び再生方向情報，フィールドの出力順序を示す情報等からフレームの切り替わりを検出し、入力信号に合ったフレームエンドパルスを作成し、タイミング調整を行ったのちに音声信号再生処理時に使用するように構成したものである。
【００１５】
これにより、特殊再生時のシリアルデータを入力した場合においても受信側で入力信号に合った特殊再生処理を行うことができ、正常な特殊再生された音声をモニタすることが可能となる。
【００１６】
【発明の実施の形態】
本発明の請求項１に記載の発明は、外部から入力される１フレーム単位で伝送された映像信号とインターリーブされた音声信号を含んだディジタルシリアルデータを受信し、入力された信号に含まれる再生速度及び再生方向情報、フィールド出力順序を示す情報を出力するデータ受信手段と、前記データ受信手段から出力されたフレームの切り替わりを示す情報から入力信号の映像信号のフレームの切り替わりを検出し、検出結果をフレームエンドパルスとして出力するフレームエンド検出手段と、前記フレームエンド検出手段からのフレームエンドパルスと前記再生速度及び再生方向情報，前記フィールド出力順序示す情報を用いて前記データ受信手段から入力された音声信号のデインターリーブ処理及びスロー再生処理を行う音声信号再生手段と、前記フィールドの出力順序を示す信号を用いて前記データ受信手段から入力された映像信号の再生処理を行う映像信号再生手段とを具備することを特徴とするディジタル音声信号伝送装置であり、特殊再生時のシリアルデータを入力した場合においても受信側で入力信号に合った特殊再生処理を行うことができ、正常な特殊再生された音声をモニタすることが可能となるという作用を有する。
【００１７】
以下、本発明の実施の形態について、図面を用いて説明する。
【００１８】
（実施の形態１）
図１は、特殊再生されたシリアルデータを受信した際に受信側で特殊再生時の音声がモニタ可能なディジタル音声信号伝送装置を示し、図１において特殊再生されたシリアルデータを受信したシリアルデータ受信装置５は、入力されたシリアルデータのデパケット化を行い映像信号切り替えスイッチ２に映像及び音声信号を出力すると同時にシリアルデータ内のシステムデータのＶＡＵＸ，ＡＡＵＸから再生速度及び再生方向情報，フィールドの出力順序を示す情報，フレームの切り替わりを示す情報を検出し、フレームエンド検出装置６に出力する。フレームエンド検出装置６では入力されたフレームの切り替わりを示す情報からフレームの切り替わりを検出し、フレームエンドパルスを作成し、制御信号切り替えスイッチ１０に出力する。フレームエンドパルスは受信信号内のＦＣよりフレームの切り替わりを検出し、また速度情報を用いることにより作成することが可能である。図２は０．５倍速再生信号を受信し特殊再生の音声を復元する為のメモリ制御に必要なフレームエンドパルスの例を示した図である。入力信号から検出したＦＣ，ＦＦ，ＦＳを用い、フレームエンドパルスを作成，タイミング調整を図のように行うことによって特殊再生時に再生部及び再生信号処理回路１が出力するフレームエンドパルスと同様の信号を得ることが可能である。
【００１９】
映像信号切り替えスイッチ２では再生部及び再生信号処理回路１からの入力信号とシリアルデータ受信装置５からの入力信号を選択し出力するが、入力信号の記録及びモニタ時にはシリアルデータ受信装置５からの入力信号を選択し、速度及び方向情報付け替え装置４及び映像信号再生装置９，音声信号再生装置８に選択した信号を出力する。制御信号切り替えスイッチ１０では再生部及び再生信号処理回路１から再生処理に使用した再生速度及び再生方向情報，フィールドの出力順序を示す情報，再生部及び再生信号処理回路１内のフレーム更新判定回路１０６からのフレームエンドパルスとフレームエンド検出装置６より外部入力信号からシリアルデータ受信装置５で検出された再生速度及び再生方向情報，フィールドの出力順序を示す情報，フレームエンド検出装置６で作成されたフレームエンドパルスが入力される。入力信号の記録及びモニタ時にはフレームエンド検出装置６からの信号を選択し、速度及び方向情報付け替え装置４及び音声信号再生装置８，映像信号再生装置９に出力する。速度及び方向情報付け替え装置４，音声信号再生装置８，映像信号再生装置９，シリアルデータ送信装置７では再生部及び再生信号処理回路１で特殊再生を行う時と同様の処理を行う。
【００２０】
【発明の効果】
以上のように、本実施の形態では特殊再生されたシリアルデータを受信時に受信されたシリアル信号から再生速度及び再生方向情報，フィールドの出力順序を示す情報，フレームの切り替わり示す情報を検出し、特殊再生時のオーディオメモリ制御に必要なフレームエンドパルスを作り直し、音声再生処理時に作り直したフレームエンドパルスを切り換えて使用することにより特殊再生時の音声を受信側でもモニタが可能となる。また、従来の特殊再生処理に必要な装置を共用する事により回路の追加を最小限で受信信号の特殊再生処理を実現することが可能となる。
【図面の簡単な説明】
【図１】本発明の実施の形態１によるディジタル音声信号伝送装置の構成を示すブロック図
【図２】本発明の実施の形態１によるディジタル音声信号伝送装置の０．５倍速特殊再生時におけるスロー再生処理に必要な信号の具体的な変化を示す説明図
【図３】従来の再生装置の構成を示すブロック図
【図４】従来のディジタル音声信号伝送装置の構成を示すブロック図
【図５】従来のディジタル音声信号再生装置の通常再生時におけるスロー再生処理に必要な信号の具体的な変化を示す説明図
【図６】従来のディジタル音声信号再生装置の０．５倍速特殊再生時におけるスロー再生処理に必要な信号の具体的な変化を示す説明図
【図７】ＳＭＰＴＥ３１４Ｍに規定されるＡＡＵＸのソースコントロールパックのマッピング図
【図８】ＳＭＰＴＥ３１４Ｍに規定されるＶＡＵＸのソースコントロールパックのマッピング図
【符号の説明】
１  再生部及び再生信号処理回路
２  切り替えスイッチ
３  システムコントロール部
４  速度及び方向情報付け替え装置
５  シリアルデータ受信装置
６  フレームエンド検出装置
７  シリアルデータ送信装置
８  音声信号再生装置
９  映像信号再生装置
１０  切り替えスイッチ
１０３  メモリ回路
１０６  フレーム更新判定回路
１０７  メモリ制御回路
【図１】
0003770001.tif 000002
【図２】
0003770001.tif 000003
【図３】
0003770001.tif 000004
【図４】
0003770001.tif 000005
【図５】
0003770001.tif 000006
【図６】
0003770001.tif 000007
【図７】
0003770001.tif 000008
【図８】
0003770001.tif 000009